(57)【要約】【課題】仮囲いの設置箇所における占有スペースを削減すると共に、防塵或いは防犯対策の面でも大幅に改善した仮囲い用パネル材を提供すること。【解決手段】金属或いは合成樹脂などの硬質素材からなるパネル本体と、該パネル本体の左右端部から当該パネル本体面に直行する向きで立設した擁壁とを具備して平断面凹状をなし、前記パネル本体と左右擁壁とによって形成されるスペースの内部に仮囲い外面を緑化するための壁面緑化材を着脱自在に取付けることができると共に、前記左右擁壁は複数枚のパネルを擁壁同士を対向させて並設するときに間隙なく並設できるよう互いに対応した平断面形状に形成したこと。【選択図】図１
0003131808.tif 000002
【実用新案登録請求の範囲】
【請求項１】
金属或いは合成樹脂などの硬質素材からなるパネル本体と、該パネル本体の左右端部から当該パネル本体面に直行する向きで立設した擁壁とを具備して平断面凹状をなし、前記パネル本体と左右擁壁とによって形成されるスペースの内部に仮囲い外面を緑化するための壁面緑化材を着脱自在に取付けることができると共に、前記左右擁壁は複数枚のパネルを擁壁同士を対向させて並設するときに間隙なく並設できるよう互いに対応した平断面形状に形成したことを特徴とする仮囲い用パネル材。
【請求項２】
請求項１のパネル材は、パネル本体とその左右端部から立設した左右の擁壁が平断面逆凹状をなす仮囲い用パネル材の裏面側を仮囲い前面に向けて使用するようにした請求項１の仮囲い用パネル材。
【請求項３】
スペース内部には、壁面緑化材を着脱自在に取付けるための係止部材を、前記緑化材の取付ピッチに見合うピッチで設けた請求項１又は２の仮囲い用パネル材。
【請求項４】
左右擁壁の互いに対応した平断面形状は、線対称、面対称、点対称のいずれかの対応関係に形成した請求項１〜３のいずれかの仮囲い用パネル材。
【考案の詳細な説明】
【技術分野】
【０００１】
本考案は、工事現場やイベント仮設会場等において必要区域を遮蔽・区画する仮囲い用のパネル材に関し、特に、壁面緑化工法を施すのに好適な仮囲い用パネル材に関するものである。
【背景技術】
【０００２】
ビル建設やビル解体などの工事現場では、周辺地域の住人や通行人の安全のため、或いは粉塵等による弊害を除去するために仮囲いを設置して工事区域を他から遮蔽・隔離する必要がある。また、イベント仮設会場等においても来場者の混雑を防止するために仮囲いを用いて区画整理することがある。
【０００３】
仮囲い用パネル材は、金属或いは無機素材からなるのが通常であって外観が単調で殺伐としているため、従来から、このような仮囲いを施すと周辺地域や会場の景観或いは雰囲気を損ねてしまうという不都合があった。
【０００４】
そこで、この仮囲い用パネル材の壁面に植物乃至植生マットを配備してこれを緑化することで美観を維持することを企図した技術が既に提案されている（特許文献１及び特許文献２を参照）。
【０００５】
しかしながら、上記の緑化工法を施した仮囲いは外側のパネル壁面に鉢植えやプランター、或いは蔦等の植物を実際に植えたりして行われるものであるため必要以上にスペースを占有して通行等の障害となってしまう。また、パネル材を並設して仮囲いを構成するとパネル材同士の接合箇所に隙間を生じ、防塵・セキュリティ管理においても改善の余地があった。
【特許文献１】実用新案登録第３０４２０４０号
【特許文献２】実用新案登録第３１１７４０３号
【考案の開示】
【考案が解決しようとする課題】
【０００６】
そこで本考案は、従来の仮囲いが有する上記の問題点に鑑み、仮囲いの設置箇所における占有スペースを削減すると共に、防塵或いは防犯対策の面でも大幅に改善した仮囲い用パネル材を提供することを課題とする。
【課題を解決するための手段】
【０００７】
上記の課題を解決することを目的としてなされた本考案仮囲い用パネル材の構成は、金属或いは合成樹脂などの硬質素材からなるパネル本体と、該パネル本体の左右端部から当該パネル本体面に直行する向きで立設した擁壁とを具備して平断面凹状をなし、前記パネル本体と左右擁壁とによって形成されるスペースの内部に仮囲い外面を緑化するための壁面緑化材を着脱自在に取付けることができると共に、前記左右擁壁は複数枚のパネルを擁壁同士を対向させて並設するときに間隙なく並設できるよう互いに対応した平断面形状に形成したことを特徴とするものである。また、本考案パネル材は、パネル本体とその左右端部から立設した左右の擁壁が平断面逆凹状をなす仮囲い用パネル材の裏面側を仮囲い前面に向けて使用することができ、上記スペース内部には、壁面緑化材を着脱自在に取付けるための係止部材を、前記緑化材の取付ピッチに見合うピッチで設けて構成することも任意である。さらに、左右擁壁の互いに対応した平断面形状は、線対称、面対称、点対称のいずれかの対応関係に形成してもよい。
【考案の効果】
【０００８】
本考案仮囲い用パネル材は、パネル材の強度を維持するために通常は仮囲い区域の内側に向けて立設されている補強擁壁を仮囲いの外側に向けて使用し、かつ、該擁壁とパネル本体の外壁面とによって形成される平断面凹状のスペースに壁面緑化材を収めたかたちで取付けるようにしたので、仮囲い設置箇所において仮囲い外面を緑化するのに必要以上に面積を占有することがない。また、本考案仮囲い用パネル材本体の左右擁壁は互いに嵌まり合う対応した断面形状を有するので、複数枚のパネル材からなる仮囲いを設置したときに並設したパネル材同士が互いに嵌合して隙間なく仮囲い区域の内外を遮蔽・隔離でき、防塵・防犯効果の向上に資する。この結果、仮囲いの設置が通行人の障害となり、又は安全を害するといった事態は完全に防止できる。
【考案を実施するための最良の形態】
【０００９】
次に本考案仮囲い用パネル材の実施の形態例について図に拠り説明する。図１は本考案パネル材を用いた仮囲いの一例を外側から見た正面図、図２は図１の側断面図、図３は本考案パネル材の支持部材への取付態様を例示した拡大側断面図、図４は図３の側端面図、図５は図３の要部拡大図、図６は本考案に係る仮囲いの一例の上端面図、図７は本考案パネル材の接合箇所の平断面拡大図である。
【００１０】
図１において、ｐは正面から見て縦長長方形状の硬質な金属性素材又はプラスチック素材からなるパネル本体であって、その左右端部から立設された左右擁壁ｗと共に仮囲いF用のパネル材として平断面略凹状に形成されている。仮囲いFは、地面Gに埋設した複数の支脚ｌと、該支脚ｌにクランプ材ｃを介して縦横斜めに組付けた支持部材ｓと、該支持部材ｓに対し同じくクランプ材ｃによって水平に把持された複数の固定用単管ｔと、該固定用単管ｔに対し適宜の螺合部材ｂと固定用金具ｍ、ｎを用いて固定されたパネル材とから構成される。
【００１１】
上記パネル材において、左右擁壁ｗとパネル本体ｐの壁面とによって形成されるスペース内には植生マットを被装した緑化タイルｇを壁面緑化材として取付けることができる（図３参照）。これにより、通常態様で使用する本体ｐの擁壁ｗの自由端は仮囲いの内側に向けて配設され、仮囲いを設置した場合、固定用単管ｔに対し擁壁ｗに自由端が当接するので、このパネル本体ｐの外面に緑化タイルgを取付けると設置面積を広く占有する難点があったところ、本考案のパネル材は左右擁壁ｗの自由端を外側にした向きで使用するから、緑化タイルｇの配置による面積の占有を約半分程度に抑えることが可能となる（図４参照）。
【００１２】
緑化タイルｇは、植生マットｖを被装したタイル部材ｅと該タイル部材ｅを貼着したブロック材ｒとからなり、このブロック材ｒの背面にはパネル材の平断面凹状の底部（壁面）に備えられた適宜の係止部材ｆと係合する係止溝ｙが設けられており、これによって当該緑化タイルｇは平断面凹状をなすパネル材の底壁面に着脱自在に取付けられている。各緑化タイルｇ同士の間に形成された間隙には図示しない板ばねなどをスペーサーとして配し、より安定的に固定することも任意である。
【００１３】
左右の側擁壁ｗは互いに対応した形状を有しているので、図６に示した通り、複数枚のパネル材の側端部（左右エンド）同士を嵌合わせて並設することができる。これによって各パネル材間に隙間が生じることなく仮囲いＦを構成することができるので、仮囲いＦを施した地域の内外での防塵・防犯効果についてより一層の向上を図ることができる。
【００１４】
また、左右擁壁ｗは線対称、面対称、点対称いずれの対応関係でもよく、特に、線対称・面対称の場合にあってはパネル材の内面外面（表裏）を入替えても隙間なく並設することができるので本考案パネル材（裏使い）と通常態様で使用するパネル材（表使い）とで形成される仮囲いＦであっても本考案に係るパネル材を適用することができる。
【産業上の利用可能性】
【００１５】
本考案は以上の通りであって、パネル材の強度を維持するために通常は仮囲い区域の内側に向けて立設されている補強擁壁を仮囲いの外側に向けて使用し、かつ、該擁壁とパネル本体の外壁面とによって形成される平断面凹状のスペースに壁面緑化材を収めたかたちで取付けるようにしたので、仮囲い設置箇所において仮囲い外面を緑化するのに必要以上に面積を占有することがなく、また、本考案仮囲い用パネル材本体の左右擁壁は互いに嵌まり合う対応した断面形状を有するので、複数枚のパネル材からなる仮囲いを設置したときに並設したパネル材同士が互いに嵌合して隙間なく仮囲い区域の内外を遮蔽・隔離でき、防塵・防犯効果の向上に資するので、この結果、仮囲いの設置が通行人の障害となり、又は安全を害するといった事態は完全に防止できるという効果を有するから仮囲い用パネル材に適用してきわめて有用である。
【図面の簡単な説明】
【００１６】
【図１】本考案パネル材を用いた仮囲いの一例を外側から見た正面図
【図２】図１の側断面図
【図３】本考案パネル材の支持部材への取付態様を例示した側断面図
【図４】図３の側端面図
【図５】図３の要部拡大図
【図６】本考案に係る仮囲いの一例の上端面図
【図７】本考案パネル材の接合箇所の拡大平断面図
【符号の説明】
【００１７】
Ｆ    仮囲い
Ｇ    地面
Ｌ    支脚
ｐ    パネル本体
ｇ    緑化タイル
ｓ    支持部材
ｔ    固定用単管
ｍ、ｎ    固定用金具
ｃ    クランプ
ｂ    螺合部材
ｆ    係止部材
ｗ    擁壁
ｅ    タイル部材
ｖ    植生マット
ｒ    ブロック材
ｙ    係止溝
【図１】
0003131808.tif 000003
【図２】
0003131808.tif 000004
【図３】
0003131808.tif 000005
【図４】
0003131808.tif 000006
【図５】
0003131808.tif 000007
【図６】
0003131808.tif 000008
【図７】
0003131808.tif 000009